(57)【要約】【課題】  見栄えを損わず安定して固定でき、スマートさを受感させる薄型レンジフードを提供することにある。【解決手段】  下面を開放した浅い捕獲空間２を有する薄型フード体１の天板２１に設置された送風機ユニット５を上側の固定手段Ｆ１で室壁２００に螺着し、該送風機ユニット５を、室内側からその固定手段Ｆ１と共にダクトカバーＣで隠蔽した薄型レンジフードＡにおいて、前記薄型フード体１の背板１１側に比較的に容積を占有する電装部品Ｈを設置し、該電装部品Ｈを室内側から開閉可能なカバーパネル６で隠蔽し、前記カバーパネル６閉蓋時に隠れる前記背板１１部分において同パネル６開蓋時に室内に臨む部分を固定手段Ｆ２で室壁２００に螺着する。【選択図】  図１
2006170539.tif 000002
【特許請求の範囲】
【請求項１】
下面を開放した浅い捕獲空間を有する薄型フード体の天板に設置された送風機ユニットを固定手段で室壁に螺着し、該送風機ユニットを、室内側からその固定手段と共にダクトカバーで隠蔽した薄型レンジフードにおいて、前記薄型フード体の背板側に電装部品を設置し、該電装部品を開閉可能なカバーパネルで室内側から隠蔽するように被蓋し、前記カバーパネル閉蓋時に隠れる前記背板部分において同カバーパネル開蓋時に室内に臨む部分を固定手段で室壁に螺着したことを特徴とする薄型レンジフード。
【請求項２】
前記電装部品は下方照明を包含し、該下方照明も閉蓋時の前記カバーパネルで隠蔽することを特徴とする請求項１記載の薄型レンジフード。
【請求項３】
前記カバーパネルの一端側を薄型フード体の背板に対して上下回動可能に連絡して上方回動時の同カバーパネル他端側を薄型フード体に着脱可能に取り付け、その取付時の収容空間に下方照明を含む電装部品を収容し、そのカバーパネルに下方照明、遠隔操作用の受信部を設けたことを特徴とする請求項１記載の薄型レンジフード。
【発明の詳細な説明】
【技術分野】
【０００１】
本発明は薄型レンジフード、更に詳しくは薄型レンジフードにおいて室壁への取付構造に関するものである。
【背景技術】
【０００２】
今日、欧米スタイルを取り入れた様々なキッチンレイアウトが提案されており、それに調和するデザイン性を重視したシステムキッチンが多く登場している。これらのシステムキッチンに組み込まれるレンジフードにもこれらにマッチするデザイン性を考慮したものが望まれており、最近では調理により発生した汚染空気の捕獲に最も影響を及ぼすフード体部分を非常に薄型にした幕板を使用しないスリムタイプのレンジフードが開発されている。
深い捕獲空間を必要とするレンジフードや排気装置をフード体内に設置するレンジフードではそれらが設計上の制約を大きくする結果、フード体として斬新なデザインが実施できない問題を惹き起こす。
その薄型レンジフードには、下方を開放した浅い廃ガスの捕獲空間を有する薄型なフード体の天板に送風機ユニットを設置し、該フード体の背板側に遠隔操作用の受信部を設けた構造のものが知られている（例えば、特許文献１参照）。
この特許文献１は、詳細には送風機ユニットの上端にＬ型の吊り金具を設け、該吊り金具を室壁にネジ止めすることによって、所定高さに設置されている。
【０００３】
しかしながら、１点支持のため、フード体に清掃力やグリスフィルタの掛け外し力等の力が下方から作用した時に、薄型フード体がそのネジ止め部を中心に上下にガタツキ、不安定であった。
そこで、薄型フード体の天板にＬ型の吊り金具を設け、その吊り金具を室壁にネジ止めして、前記ネジ止めとの上下２点で支持することが提案されているが、室壁固定後に幕板でその吊り金具を視認不能に隠す必要が生じ、デザイン性を制約してしまう幕板を使用しない薄型レンジフードには不適であった。
また、レンジフードの取付構造の別例として、室壁にＬ型を呈する吊り金具を固定しておき、その吊り金具にフード体の背板部分を引掛ける構造（例えば特許文献２参照。）のものも存在するが、フード体の背板にその吊り金具をネジ止めする固定ネジの頭部や吊り金具の本体との干渉を避けるための凹面を絞り加工で施さねばならず、製造コストが増加する問題を惹起させる。
また、薄型レンジフードはリアー側に比してフロント側が薄いフード体の方がスマートであるが、それを考慮せずに、フード体のフロント側等、任意な箇所に比較的に容積を占有してしまう制御部、コンデンサ等の電装部品を設置しているのが実状であった。
【特許文献１】特開２００４−２０５１７９号公報
【特許文献２】特開平９−８９３３４号公報
【発明の開示】
【発明が解決しようとする課題】
【０００４】
本発明は上記従来事情に鑑みてなされたもので、その目的とする処は、見栄えを損わず安定して固定でき、しかもスマートさを受感させる薄型レンジフードを提供することにある。
【課題を解決するための手段】
【０００５】
前記課題を解決するために講じた技術的手段は、下面を開放した浅い捕獲空間を有する薄型フード体の天板に設置された送風機ユニットを固定手段で室壁に螺着し、該送風機ユニットを、室内側からその固定手段と共にダクトカバーで隠蔽した薄型レンジフードにおいて、前記薄型フード体の背板側に電装部品を設置し、該電装部品を開閉可能なカバーパネルで室内側から隠蔽するように被蓋し、前記カバーパネル閉蓋時に隠れる前記背板部分において同カバーパネル開蓋時に室内に臨む部分を固定手段で室壁に螺着したことを特徴とする薄型レンジフードである（請求項１）。
前記照明を電装部品として制御部、コンデンサ等と共に、請求項２記載のように前記薄型フード体の背板側を配設しても良いものであるし、薄型フード体の前板側に、背板側の制御部、コンデンサ等と分離してその照明を配設しても良いものである。前者にあっては、制御部、コンデンサ等の電装部品をも薄型フード体の前板側に設置する場合と比べて薄型フード体の前板側を薄幅にしてスマート感を惹起させることができるものであるし、後者であってもハロゲンランプ等の小型照明を使用することによって、スマート感を表現することが可能である。
また、前記する前者にあっては、その照明を薄型フード体の背板や天板に取り付けると共に、透光部をカバーパネルに設けて、閉蓋時にカバーパネルで隠蔽されるその照明からの下方照射をその透光部から行う構成にするものである。
【０００６】
以上の手段によれば、比較的容積を占有する制御部、コンデンサ等の電装部品を薄型フード体のリアー側に設置して、薄型フード体のフロント側を薄くしてスマート感を惹き出した上に、室内から認識されない固定手段で薄型フード体を室壁に螺着する。
【０００７】
そして、カバーパネルの一端側を薄型フード体の背板に対して上下回動可能に連絡して上方回動時の同カバーパネル他端側の薄型フード体に着脱可能に取り付け、その取付時の収容空間に下方照明を含む電装部品を収容し、そのカバーパネルに下方照明、遠隔操作用の受信部を設けていると、好適なものである（請求項３）。
照明は、カバーパネルに装着できる小型なハロゲンランプが好適である。無論、白熱灯でも良いものである。
【０００８】
以上の手段によれば、薄型フード体を室壁に固定手段で螺着する時にカバーパネルに照明や遠隔操作用の受信部が取付けられていても、カバーパネル開蓋時に制御部、コンデンサ等との電気配線類に張力をかけなくて済む。
【発明の効果】
【０００９】
本発明は以上のように構成したから下記の利点がある。
（請求項１）薄型フード体の背板側に比較的場所を取る電装部品を設置し、それらを室内から視認不能にカバーするカバーパネルで隠蔽される同背板部分を固定部として固定手段で室壁に螺着しているので、固定手段を室内に露呈させず、見栄えを損わずに上位の固定手段と協働しての上下２点支持でもってしっかりと薄型レンジフードを安定的に固定することができる。
しかも、リアー側に比してフロント側を薄くして、薄型レンジフード特有のスマートさを惹き出し、商品価値の高揚に寄与することができる。
その上、薄型フード体の背板部分には、固定手段の軸部が挿通する固定孔を設けるだけで良く、特許文献２のような絞り加工等の特殊加工を施す必要がなく、製品単価も低く抑えることが可能である。
（請求項２）しかも、下方照明を含む電装部品を背板側に設置して、その照明も閉蓋時のカバーパネルで隠蔽されるようにしておくことによって、フロント側の厚さの自由度を更に拡大し、多様化する顧客のニースに応ずる上で好適なものである。
（請求項３）また、カバーパネルを薄型フード体の背板に上下回動可能に連絡して開閉可能にしているので、そのカバーパネルに照明を設けたり、遠隔操作用の受信部を設けても、電気配線に余裕を持たせておくことによって制御部やコンデンサ等との電気配線に張力をかけずに薄型フード体を固定手段で室壁に螺着でき、安全である。
【発明を実施するための最良の形態】
【００１０】
次に本発明薄型レンジフードの第１の実施の形態を図１〜図５に、また同第２の実施の形態を図６に基づいて説明すると、符号Ａは薄型レンジフードである。
第１の実施の形態は、薄型フード体の背板側に制御部、コンデンサ等の電装部品と共に下方照明を設置した例を、第２の実施の形態は、背板側の制御部、コンデンサ等の電装部品とは分離して下方照明を薄型フード体の前板側に設置した例を示している。
【実施例１】
【００１１】
図１〜図５の第１の実施の形態に示す薄型レンジフードＡは、下方を開放した扁平箱状を呈する薄型フード体１の背板１１側に収容空間Ｓを確保し、その収容空間Ｓの前方に油煙の捕獲空間２を凹設すると共にその捕獲空間２の天部にグリスフィルタ３を係脱可能に係合し、捕獲空間２の開放部にその周縁との間に吸込空間Ｂを確保して整流板４を着脱可能に配置し、天板２１の所定面積に開口２１ａを開設し、その開口２１ａに連通させてその天板２１上に送風機ユニット５を設置して、整流板４周囲の吸引空間Ｂから吸引される油煙をグリスフィルタ３でろ過して、送風機ユニット５に接続される排気ダクトＤから室外に排気するようになっている。
【００１２】
前記送風機ユニット５は、図１に示すように前記連絡口１５ａを下面に開口し、上面に排気ダクトＤの接続筒ｄを突設したユニットボックス１５内にケーシング２５と共にシロッコファン２５ａを内蔵した構成にすると共に、上下伸縮可能なダクトカバーＣで隠蔽するようにされており、そのダクトカバーＣで隠蔽されるユニットボックス１５上面後端部左右端にＬ型の吊り金具６を設けている。
【００１３】
前記収容空間Ｓは、図１等に示すようにＬ形状のカバーパネル６の一端側を薄型フード体１の背板１１下端側に上下回動可能に係止すると共に同カバーパネル６の他端側を、グリスフィルタ３の支持枠１３における逆Ｌ型状を呈する後枠体１３ａの水平部１３ａ’に着脱可能にネジ１００止めして、前記捕獲空間２を囲繞する凹窪部１２の後方側面を構成するそのカバーパネル６と、前記後枠体１３ａと、薄型フード体１の天板２１とで、背板１１に沿い所要スペースをもって確保されており、この収容空間Ｓは、前記水平部１３ａ’にネジ１００でネジ止めされることによって上向きに回動するカバーパネル６で閉蓋され、そのネジ１００を外すことによって逆に下向きに同カバーパネル６を回動することによって開蓋されるようになっている。
【００１４】
前記カバーパネル６は、図３、図４に示すよう、その水平板部１６の縁部長さ方向に適宜間隔をおいて引掛け片２６を折曲形成すると共に、背板１１下端に折曲形成されている内向きフランジ１１ａに引掛け片２６に対応して係止孔７を開孔し、前記引掛け片２６を、係止孔７に係脱可能に係止して、上下方向に回動可能に構成されており、その引掛け片２６の先端部は、図５に示すように、このカバーパネル６を下向きに回動した時に引っ掛かりが解除されないテーパ片部２６ａで形成している。
尚、前記引掛け片２６と係止孔７による上下動可能な連絡構成として単に蝶番を使用しても良いものである。
【００１５】
比較的容積を占有する制御部８、コンデンサ９等の電装部品Ｈは、前記カバーパネル６閉蓋時に隠蔽される薄型フード体１の背板１１側の収容空間Ｓ内に収容されるように設置されている。
この実施の形態では制御部８、コンデンサ９等の他に電装部品Ｈとして遠隔操作用の受信部１０、下方照明Ｔをもその収容空間Ｓを利用して装設され、下方照明Ｔは、この実施の形態ではハロゲンランプであり、前記カバーパネル６の水平板部１６に貫通状に装設すると共に、前記受信部１０も同水平板部１６に下方に臨ませて装設されている。
【００１６】
そして、その下方照明Ｔ、遠隔操作用の受信部１０は制御部８、コンデンサ９等に電気配線Ｇを介して電気的に接続されている。図３において符号２０はコネクタである。
その電気配線Ｇは、図５に示すようにカバーパネル６を下向きに回動した時、張力が作用しない長さになっていること言うまでもないものである。
【００１７】
また、前記吊り金具６を室壁２００にネジ１００止めして上側の固定手段Ｆ１を構成すると共に、前記カバーパネル６閉蓋時に隠れ、同カバーパネル６開蓋時に制御部８、コンデンサ９等の電装部品Ｈの間から室内に臨む背板１１部分を固定部にして室壁２００にネジ１００で螺着して下側の固定手段Ｆ２を構成し、それによって薄型レンジフードＡを上下２点で安定して固定できるようにしている。
【００１８】
上側の固定手段Ｆ１は、従来と同様に吊り金具６をネジ１００で室壁２００にネジ込み固定し、下側の固定手段Ｆ２は、整流板４を設ける前に収容空間Ｓオープン時（カバーパネル６の引掛け片２６を係止孔７に回動可能に係止して下向きに垂れ下げている状態）に室内に臨んで開孔されている固定孔１１ｂを挿通させて室壁２００にネジ１００止めされるようになっている。
【００１９】
従って、制御部８、コンデンサ９等を点検する時等にカバーパネル６を開蓋した時だけ、下側の固定手段Ｆ２を構成する固定金具であるネジ１００が露出するので、見栄えを悪くしないし、制御部８、コンデンサ９、遠隔操作部の受信部１０等の他、下方照明Ｔを薄型フード体１の背板１１側に集中して収容しているので、薄型フード体１の前板３１側をよりスマートな形態にすることが可能である。
【実施例２】
【００２０】
次に図６に示す第２の実施の形態を説明すると、この実施の形態は、前記下方照明Ｔのみを薄型フード体１の側に配設し、それ以外の制御部８、コンデンサ９、遠隔操作用の受信部１０等の電装部品Ｈを、前記実施の形態と同様に、薄型フード体１の背板１１側の収容空間Ｓに収容している。
【００２１】
即ち、油煙の捕獲空間２を構成する凹窪部１２の前側内面１２ａと、薄型フード体１の天板２１との間の空間にその下方照明Ｔを配置し、その下方照明Ｔに近傍の前記前側内面１２ａ部分と、前板３１部分とを透光部材Ｅで構成して、下方のみならず前方を照射するように構成され、図示するように薄型フード体１の天板２１においてダクトカバーＣよりも若干前方域の同天板２１部分を前方に向けて下向き傾斜状にして、前板３１側が薄いスマートさを受感させるように構成されている。
【図面の簡単な説明】
【００２２】
【図１】第１の実施の形態の側面断面図。
【図２】（２）−（２）線拡大断面図で一部切欠し、カバーパネル閉蓋状態を示す。
【図３】同（２）−（２）線拡大断面図でカバーパネル開蓋状態を示す。
【図４】図２に対応する側面拡大断面図で要部のみを示す。
【図５】図３に対応する側面拡大断面図で要部のみを示す。
【図６】第２の実施の形態の側面断面図。
【符号の説明】
【００２３】
Ａ：薄型レンジフード        １：薄型フード体
２１：天板                    ５：送風機ユニット
２００：室壁                    ８：制御部
９：コンデンサ            １０：受信部
６：カバーパネル    Ｆ１、Ｆ２：固定手段
Ｓ：空間（収容空間）        ２：捕獲空間
１１：背板                １００：ネジ
Ｈ：電装部品
【図１】
2006170539.tif 000003
【図２】
2006170539.tif 000004
【図３】
2006170539.tif 000005
【図４】
2006170539.tif 000006
【図５】
2006170539.tif 000007
【図６】
2006170539.tif 000008